(57)【特許請求の範囲】
【請求項１】
静刃及び動刃が支点において回転可能に組合わされたハサミにおいて、静刃及び動刃における刃元を、支点の側方あるいはこれより元側に配置すると共に、静刃及び動刃を静刃側に傾斜させて、逃げを形成したことを特徴とするハサミを使用し、
ハサミにおける静刃及び動刃を９０度以上開いた場合の静刃及び動刃の交差部を用いて、
髪を、自身の重みにより脱落せず、かつ自然に垂れ下がるように支持すると共に、
交差部を、髪に沿う方向に進入させた状態を保ちつつ、髪に沿う方向に移動させながら動刃及び静刃を小刻みに操作して髪をカットすることを特徴とするヘアカット方法。
【発明の詳細な説明】
【０００１】
【発明の属する技術分野】
本発明は、仕上りの良好なヘアカット方法に関する。
【０００２】
【従来の技術】
従来のヘアカット方法においては、一方の手において髪を支持すると共に、他方の手でハサミを使い、支持した髪をカットする。当該カットは、直線に揃えない場合、刃先のみを適用しながら、ハサミをずらしていくことにより行われている。
【０００３】
又、図４に示すように、従来のヘアカット方法において用いられるハサミ８１は、刃８４を十分に角度を付けて適用する観点がないため、刃８４の刃元８６が支点８２から上方へ離れるように配置されている。
【０００４】
【発明が解決しようとする課題】
以上のような従来のヘアカット方法では、図３（ｃ）に示すように、髪の切断面、即ちカット後の毛先が、乱れたものになる。この乱れた毛先は、手触りがざらついたものとなり、しかも図３（ｄ）に示すように、数日の内に枝毛を生じてしまうことが比較的多い。一方、直線揃えの場合には、毛先が髪に対して略垂直になるものの、ヘアスタイルのバリエーションが非常に制限的になる。
【０００５】
又、従来のハサミ８１にあっては、刃８４の刃元８６が支点８２から上方に配置されているため、刃８４の間を略９０度以上開くと、刃８４でない部分が現れてしまい、髪をカットすることができない。
【０００６】
そこで、請求項１に記載の第１発明は、ヘアスタイルを制限せず、仕上りの良好なヘアカット方法を提供することを目的としたものである。
【０００８】
【課題を解決するための手段】
上記目的を達成するために、請求項１に記載の発明は、静刃及び動刃が支点において回転可能に組合わされたハサミにおいて、静刃及び動刃における刃元を、支点の側方あるいはこれより元側に配置すると共に、静刃及び動刃を静刃側に傾斜させて、逃げを形成したことを特徴とするハサミを使用し、ハサミにおける静刃及び動刃を９０度以上開いた場合の静刃及び動刃の交差部を用いて、髪を、自身の重みにより脱落せず、かつ自然に垂れ下がるように支持すると共に、交差部を、髪に沿う方向に進入させた状態を保ちつつ、髪に沿う方向に移動させながら動刃及び静刃を小刻みに操作して髪をカットすることを特徴とするものである。
【００１５】
【発明の実施の形態】
以下、本発明の実施の形態を図面に基づいて説明する。
【００１６】
図１（ａ）は本発明に係るハサミ１の開いた状態での正面説明図、図１（ｂ）はハサミ１の閉じた状態での左側面説明図であって、ハサミ１は、静刃２と動刃４とが支点としてのネジ６及びパッキン８により互いに回転可能に組合わされてなる。尚、ハサミ１は右手用である。
【００１７】
静刃２における刃１２の刃元１３は、刃１２の刃元１３付近における中心線Ｃに対する支点からの垂線Ｍに達しており、支点の上方ではなく側方の近傍に配置されることとなっている。又、動刃４における刃１４の刃元１５も同様に、支点の側方近傍に配置されている。従って、静刃２と動刃４とを十分に開いた状態（例えば９０度以上）において、刃１２，１４の支点近傍で髪を切断可能であるように、刃１２，１４の刃元１３，１５が配置され、換言すればこの場合には刃元１３，１５の近傍は支点近傍に一致する。
【００１８】
加えて、静刃２及び動刃４には、左側面からみて右方向の逃げＲが刃元１３，１５の近傍においても付与されており、ハサミ１を静刃２が下となる状態において右手で持った場合に、基端側においても右方向に反る。
【００１９】
続いて、ハサミ１を用いた本発明に係るヘアカット方法について、図２に基づき説明する。
【００２０】
（ａ）ハサミ１を、刃元１３，１５の近傍（支点近傍）が現れ、刃１２，１４の角度が十分（９０度以上）となるように開く。十分開いた刃１２，１４の交差部、即ち刃元１３，１５の近傍に髪束（髪）Ｈを乗せる。ハサミ１は、髪束Ｈを挟む向きとなり、交差部が上方となり、刃１２が左となり、刃１４が右となり、ハサミ１全体を含む面が持ち手に係る腕に対して略垂直となる。髪束Ｈは、乗せた後、ハサミ１を持たない左手で触れないか軽く添えるのみとし、ハサミ１の刃元１３，１５の近傍において支持するようにする。このとき、髪束Ｈが自身の重みにより脱落せず、かつ自然に垂下がるようにする。
【００２１】
（ｂ）ハサミ１は、刃１２，１４が髪束Ｈに沿う方向に進入するように手前に倒す。すると、手前に倒さない場合の刃１２，１４と髪束Ｈとの三角状の隙間Ｗが髪束に寄ってより小さい隙間Ｘとなり、手前に倒さない場合より更に刃１２，１４の支点に近い側を適用することができる。又、ハサミ１の逃げＲは手前方向となるため、髪束Ｈに更に沿う方向に逃げるようになり、より一層刃の支点側を適用可能となる。
【００２２】
（ｃ）そして、ハサミ１を、髪束Ｈに対する進入角度は略保ったまま、髪束Ｈに略沿う方向に、手首を使うことで移動させつつ、静刃２及び動刃４を通常小刻みに操作し、刃元１３，１５の近傍（支点近傍）のみを用いて髪束Ｈをカットしていく。ハサミ１を移動することにより、刃１２，１４は、髪束Ｈに沿って進行していく。これを髪の部分あるいは全体について行う。
【００２３】
（ｄ）このようなヘアカット方法にあっては、刃元１３，１５の近傍（刃１２，１４の支点近傍）において髪をカットするため、刃１２，１４を、大きな角度で開き、髪束Ｈとの隙間Ｙをより小さい隙間Ｚとして、髪の片側から適用することができ、角度が少なく大きい隙間Ｙとなる刃先Ｆによるカットのように髪を圧迫することなくまさに髪を「切る」ことが可能となる。従って、髪の切断面は凹凸の少ないものとなり、枝毛等を抑制することができる。
【００２４】
又、てこの原理により、刃１２，１４の支点近傍の方が先端側よりも少ない操作力でカットすることができ、軽やかにカットを進めることができるし、更に上記のような圧迫による弾性抵抗を髪束Ｈから受けることが少なく、破断力等のための余分なエネルギーも殆ど必要ないこともあって、ハサミ１の刃１２，１４の摩耗が少なくなり、ハサミ１が長持ちする。尚、弾性抵抗や破断力等によって発生してしまう振動を防止することもでき、このことも凹凸の殆どない良好な切断面の形成に役立つ。
【００２５】
加えて、髪束Ｈを刃１２，１４の支点近傍において支持するため、髪束Ｈを下りている普段の状態において重力のみの影響を受けてカットすることができ、仮に余分な微弱力が掛った場合には、その分だけ髪束Ｈが若干逃げるようにカットすることができ、切断面に無理がなく、自然な仕上りとなるようにすることができる。
【００２６】
又、ハサミ１を倒して、刃１２，１４の支点近傍を、髪に略沿う方向に進入させた状態を保ちつつ、髪に略沿う方向に移動させながらカットするため、髪束Ｈに沿って切始めながらも、髪束Ｈの描く自然な弧に対して移動することとなって、髪束Ｈに対する刃１２，１４の進行を丸く変えることとなり、これによって、切断面は、凹凸か少ないながらも、図３（ａ）に示すように髪の中心部を残す綺麗なものとなる。更に、シャープで綺麗な切断面によって、図３（ｂ）に示すように、丸みを帯びた触り心地の良い毛先の成長が促される。従って、枝毛の発生を防止することができ、枝毛が気にならなくなるし、切断直後から成長後にかけて、カット後の手触りの滑らかさが持続する。
【００２７】
（ｅ）又更に、特に支点近傍を髪に略沿う方向に移動させながら刃１２，１４を小刻みに操作すると、徐々に髪の長さを変化させることができ、スキバサミで一部の髪束を段状にカットするのとは異なり、毛先を流線状とすることができるし、髪量の調整も綺麗さを保持した状態で行える。
【００２８】
加えて、このヘアカット方法において、ハサミ１の刃元を支点の側方近傍に配置したため、より片側に寄った状態で「切る」ための刃１２，１４を適用することができ、ハサミ１の寿命が延び、切断面を綺麗に形成することができる。
【００２９】
又、カット時に支点近傍から奥に逃げる反りが付与されているため、さほど手を奥に曲げなくても、丸めのスタートとなる鋭角の進入を支点近傍において行うことができ、上記カット方法をより簡単に実行することができるし、更に刃１２，１４の支点側を適用できるようにして、長切りでき、美しい切断面による高品位な仕上りを提供できるようになる。
【００３０】
尚、本発明は、以上の形態に限定されるものではなく、次に例示するように様々に変更することができる。
【００３１】
刃元は、支点より元側（手の側）に配置することができる。この場合、刃元と支点近傍とが異なる場合があるが、支点近傍においてより刃の中央に近い側を適用することができ、上記カット方法を行えるのは勿論、切れ味がより高いレベルで求められる際に有効である。
【００３２】
ハサミの略髪に沿う移動は、腕の動作又は手首と腕との併用により行うことも可能である。又、本発明に係るヘアカット方法は、一般的なハサミにおいても実行可能である。更に、本発明に係る左手用のハサミを、ハサミを持つ手、静刃、動刃等を対称位置として作成することができ、左手による本発明のカット方法の実行も勿論可能である。
【００３３】
【発明の効果】
本発明によれば、髪の切断面に着目し、綺麗な切断面を形成することで、滑らかで心地良い手触りがカット直後から持続する斬新なカット方法、あるいは本方法に適った新規のハサミを提供することができ、カットの技術自体又は当該ハサミによる良質な髪の提供が可能となって、今までに例を見ない画期的な新技術を理美容界にもたらすことが可能となる。
【図面の簡単な説明】
【図１】（ａ），（ｂ）は本発明に係るハサミの説明図である。
【図２】（ａ）〜（ｅ）は本発明に係るカット方法についての説明図である。
【図３】（ａ），（ｂ）は図２のヘアカット方法における髪の切断面の説明図である。（ｃ），（ｄ）は従来のヘアカット方法における髪の切断面の説明図である。
【図４】従来のハサミの説明図である。
【符号の説明】
１・・ハサミ、２・・静刃、４・・動刃、６・・ネジ、８・・パッキン、１２，１４・・刃、１３，１５・・刃元。
【図１】
0003664390.tif 000002
【図２】
0003664390.tif 000003
【図３】
0003664390.tif 000004
【図４】
0003664390.tif 000005